(57)【特許請求の範囲】
【請求項１】
ベース部にカプラロックを介してモジュールを着脱可能とするモジュール固定構造において、
前記モジュールは穴部を有し、
前記カプラロックはアーム部、ヒンジ部、逆Ｕ字部および爪部を有し、
前記ベース部は前記逆Ｕ字部と係合する係合部、前記ヒンジ部が取り付けられるヒンジ取付部を有し、前記ヒンジ部にて前記カプラロックを前記ベース部のヒンジ取付部に回転可能に保持し、
前記モジュールを前記ベース部に着脱する場合には、前記カプラロックがヒンジ部を中心として回転することにより前記逆Ｕ字部と係合部、前記穴部と爪部がそれぞれ係合、解放される
ことを特徴とするモジュール固定構造。
【請求項２】
前記カプラロックの前記逆Ｕ字部はバネ性を有し、前記爪部はバネ性のないことを特徴とする請求項１に記載のモジュール固定構造。
【発明の詳細な説明】
【０００１】
【発明の属する技術分野】
本発明は、装置等の制御に用いられるプログラマブルロジックコントローラ或いはプロセス入出力等のモジュールの固定構造に関する。
【０００２】
【従来の技術】
従来のモジュールの固定構造には、ねじ固定による方式とプラスチックによるスナップフィット方式が一般的である。
図６は、従来のスナップフィット方式の実施例を示す図で、（ａ）はベースの外観図、（ｂ）はモジュールの外観図である。図６において、５０はモジュール、５１はモジュールロック部、５２はモジュールヒンジ部、６０はベース、６１はベースロック部、６２はロック爪部、６３はベースヒンジ部である。ベース６０は例えばポリカーボネート等のプラスチックの一体成形品であり、またベースロック部６１はバネ性を有している。
【０００３】
モジュール５０をベース６０に固定するには、モジュールヒンジ部５２をベースヒンジ部６３に引っかけ、モジュールロック部５１をベースロック部６１に押し込むことにより、モジュールロック部５１がロック爪部６２に保持され、モジュール５０は固定される。
モジュール５０をベース６０から取り外す場合には、ベースロック部６１の頭部を押し下げればよい。
【０００４】
【発明が解決しようとする課題】
従来方式のうち、ねじ固定による方式では、ねじ固定部でのねじの電気的絶縁、振動によるねじの緩み、ねじのコスト、作業性等に問題があった。
また、プラスチックによるスナップフィット方式の場合、ロック爪部の対磨耗性、モジュール着脱に対する繰り返し強度に問題があった。また、ロック爪部のモジュールロック部を保持する面は、構造上接触面を広くすることが困難であり、また一体成形のため僅かなテーパがあるため、モジュールに過大な力が加わった場合にロックが外れてしまう恐れがあった。
【０００５】
本発明の目的は、機械的強度、耐久性ならびに信頼性に優れたモジュールの固定構造を提供することにある。
【０００６】
【課題を解決するための手段】
上記課題を解決するために、請求項１の発明は、ベース部にカプラロックを介してモジュールを着脱可能とするモジュール固定構造において、前記モジュールは穴部を有し、前記カプラロックはアーム部、ヒンジ部、逆Ｕ字部および爪部を有し、前記ベース部は前記逆Ｕ字部と係合する係合部、前記ヒンジ部が取り付けられるヒンジ取付部を有し、前記ヒンジ部にて前記カプラロックを前記ベース部のヒンジ取付部に回転可能に保持し、前記モジュールを前記ベース部に着脱する場合には、前記カプラロックがヒンジ部を中心として回転することにより前記逆Ｕ字部と係合部、前記穴部と爪部がそれぞれ係合、解放される構造とする。
請求項２の発明は、前記カプラロックの前記逆Ｕ字部はバネ性を有し、前記爪部はバネ性のないことを特徴とする。
【０００７】
【発明の実施の形態】
図１は、この発明の実施例を示す図で、（ａ）はベース部の外観図、（ｂ）はモジュールの外観図である。図１において、１０はカプラロック、１３はカプラロックヒンジ部、２０はベースカバー、２１はベースカバーガイド部、２３はヒンジ取付部、３０はベース、３１はベースヒンジ部、４０はモジュール、４１はモジュールロック部、４２はモジュールヒンジ部である。ベース部は、ベース３０、ベースカバー２０およびカプラロック１０により構成され、カプラロック１０はカプラロックヒンジ部１３によりベース部のヒンジ取付部２３に回転可能に保持される。モジュール４０の固定方法を以下に説明する。
【０００８】
図２は、この発明の実施例を示す説明図である。図２において、各構成要素は図１と同じであり同じ符号を付してある。図１および図２において、モジュール４０を固定するには、モジュールヒンジ部４２をベースヒンジ部３１に引っかけるとベースガイド部２１により位置決めされ、ベースヒンジ部３１を中心にしてモジュール４０を回転する。モジュールロック部４１がカプラロック１０にロックすることにより、モジュール４０を小さい力で簡単にかつ確実に固定することができる。
【０００９】
図３は、この発明の実施例のロック動作を示す部分断面図である。図３において、１４はカプラロックアーム部であり、その他の構成要素は図１と同じであり同じ符号を付してある。カプラロック１０はヒンジ構造により回転し、カプラロック１０が立った状態でも、あるいは倒れた状態でも、どちらも良好なロックに到ることが可能である。
【００１０】
図４は、この発明の実施例のロック状態を示す部分断面図である。図４において、１１はカプラロックのモジュールロック部、１２はカプラロックのベースロック部、２２はベースカバーのカプラロック部であり、その他の構成要素は図３と同じであり同じ符号を付してある。
図４の・印の面、すなわちカプラロックのベースロック部１２とベースカバーのカプラロック部２２の接触面、およびカプラロックのモジュールロック部１１とモジュールロック部４１の接触面は、それぞれ広い垂直な接触面とすることにより、機械的強度と耐久性をもたせている。
【００１１】
また、カプラロックのモジュールロック部１１はバネ性がなく、カプラロックのベースロック部１２はバネ性を有するようにしてあり、衝撃や振動に対してもカプラロックヒンジ部１３には力が加わらない構造としている。
さらに、ロックをはずさずにモジュール４０を引き抜こうとする力を加えると、カプラロック１０はベース３０とモジュール４０のロック部に対して、より一層はずれにくい方向に回転するよう作用し、ロック強度を維持することができる。
【００１２】
このカプラロック１０の解除方法は、カプラロックアーム部１４をモジュール４０の方向に引くことにより、簡単に解除することができる。
図５は、この発明の実施例を示す状態図である。各構成要素は図１と同じであり同じ符号を付してある。図５に示されるように、ロックを解除する際、ベース３０とモジュール４０は、モジュールヒンジ部４２がベースヒンジ部３１にかみ合うことにより、適切な角度で保持され、着脱時の落下を防止している。
【００１３】
【発明の効果】
上記したように、本発明によれば、機械的強度、耐久性ならびに信頼性に優れたモジュールの固定構造を提供することができる。
【図面の簡単な説明】
【図１】この発明の実施例を示す図で、（ａ）はベース部の外観図、（ｂ）はモジュールの外観図。
【図２】この発明の実施例を示す説明図
【図３】この発明の実施例のロック動作を示す部分断面図
【図４】この発明の実施例のロック状態を示す部分断面図
【図５】この発明の実施例を示す状態図
【図６】従来のスナップフィット方式の実施例を示す図で、（ａ）はベースの外観図、（ｂ）はモジュールの外観図。
【符号の説明】
１０…カプラロック、１１…カプラロックのモジュールロック部、１２…カプラロックのベースロック部、１３…カプラロックヒンジ部、１４…カプラロックアーム部、２０…ベースカバー、２１…ベースカバーガイド部、２２…ベースカバーのカプラロック部、２３…ヒンジ取付部、３０…ベース、３１…ベースヒンジ部、４０…モジュール、４１…モジュールロック部、４２…モジュールヒンジ部。
【図１】
0003829231.tif 000002
【図２】
0003829231.tif 000003
【図３】
0003829231.tif 000004
【図４】
0003829231.tif 000005
【図５】
0003829231.tif 000006
【図６】
0003829231.tif 000007